(57)【特許請求の範囲】
【請求項１】
少なくともスピーカと、マイクロホンと、前記スピーカおよび前記マイクロホンを制御する電子部品を実装した回路基板とが収容され長方形状からなるハウジングと、該ハウジングの背面側に接続端子台とを備えた埋込型ドアホン装置において、
上記ハウジングの側壁は、その長辺側の一側壁に、少なくとも一方に降下する排水ガイド路を設けた構造にしており、
上記排水ガイド路は、上記一側壁の途中部分に形成され、上記一側壁の一部を切り欠いて形成した凹所を起端として前記ハウジングの内方に傾斜して降下するように形成されるとともに、上記一側壁方向に開口された断面凹状の樋部を形成している埋込型ドアホン装置。
【請求項２】
請求項１において、
上記ハウジングの側壁は、その短辺側の一側壁の中央部分から外方に突出する山型形状とし、その両側部分を降下させた形状にしている埋込型ドアホン装置。
【請求項３】
請求項１又は請求項２において、
上記接続端子台は、上記ハウジングの一部を構成するよう該ハウジングと一体に成型され、
上記排水ガイド路は、上記接続端子台の一部に一体に形成されている埋込型ドアホン装置。
【発明の詳細な説明】
【技術分野】
【０００１】
本発明は、壁面に埋め込んで設置される埋込型ドアホン装置の改良に関し、詳しくは設置される向きにかかわらず、壁面の隙間から入り込んだ雨水等を接続端子台等に浸入させないように排水機能を備えた埋込型ドアホン装置に関する。
【背景技術】
【０００２】
従来より、この種の埋込型ドアホン装置は、玄関先の戸外壁面に埋め込んで設置され、戸内のインターホン親機と接続されて、来訪者と住人との通話を可能にしている。
図４は、従来の埋込型ドアホン装置を示した図であり、図４（ａ）はドアホン装置の正面図及びその側面図、図４（ｂ）はその背面図を各々示している。ここではドアホン装置を縦向きに取り付けた状態を示している。
【０００３】
ドアホン装置Ｄ’のハウジング１００内には、インターホン親機（不図示）からの音声を出力するスピーカと、ドアホン装置Ｄ’側の音を集音するマイクロホンと、上記スピーカ及び上記マイクロホン等を制御する電子部品を実装した回路基板とが収容されている。ハウジング１００の前面は、ハウジング１００内に収容されるスピーカ等を雨風から守る化粧プレート２００で覆われており、該化粧プレート２００の前面には、戸内の住人に来訪を知らせるチャイムを鳴動させるための呼出釦２００ａが配設されている。ハウジング１００の背面には、インターホン親機との通話線等を接続するための端子が収容された接続端子台３００が設けられており、この接続端子台３００は、図４（ａ）の側面図に示すように、段差状に構成され、壁面に形成される凹所にこの接続端子台３００が埋め込まれる構造になっている。
【０００４】
また上述と同様の構造とするドアホン装置として、下記特許文献１のものがある。ここで開示されるドアホン装置も、ハウジング（筺体）の側面は、段差状に構成され、接続端子台が壁内に埋め込まれる構造となっている。
【特許文献１】実開平５−８８０５８号公報
【発明の開示】
【発明が解決しようとする課題】
【０００５】
しかしながらこの種のドアホン装置Ｄ’の接続端子台３００内には、接続端子や制御回路等が収容されており、またインターホン親機との接続するために露出した端子部３００ａを備えているので、接続端子台３００内や端子部３００ａに雨水等が浸入すると、腐食して接続不良を起こしたり、漏電、ショート等が生じる要因となり問題であった。
そこで従来の公知のものには、図４の（ｂ）に示すように、雨水等が排水されやすいように、接続端子台３００の側壁３０１を中央部から左右に傾斜させた排水壁３０１ａを設けたものもみられるが、設置場所のスペース等の関係で横向きに設置された場合には以下のような問題があった。
【０００６】
図５は、図４に示した従来の埋込型ドアホン装置を横向きに設置した状態を示す背面斜視図である。
図４のように縦向きに設置した場合は、上側になる側壁３０１が短辺であるため、雨水等が浸入してきても、左右側端へ排水されるが、図５のように横向きにドアホン装置Ｄ’を設置した場合は、側壁３０１の上側壁３０１ｂが長辺になるため、雨水等が上側壁３０１ｂ上に滞留しやすく、側壁３０１の左右側端に到達して落下するよりも、図５に示す矢印のように、接続端子台３００内及びその端子部３００ａ側へ流れ込む傾向となり問題であった。
【０００７】
本発明は、上記事情に鑑みなされたものであり、設置される向きにかかわらず、壁面の隙間から入り込んだ雨水等を接続端子台等に浸入させないよう排水機能を備えた埋込型ドアホン装置を提供することを目的としている。
【課題を解決するための手段】
【０００８】
請求項１に係る埋込型ドアホン装置は、少なくともスピーカと、マイクロホンと、前記スピーカおよび前記マイクロホンを制御する電子部品を実装した回路基板とが収容され長方形状からなるハウジングと、該ハウジングの背面側に接続端子台とを備えた埋込型ドアホン装置において、上記ハウジングの側壁は、その長辺側の一側壁に、少なくとも一方に降下する排水ガイド路を設けた構造にしており、上記排水ガイド路は、上記一側壁の途中部分に形成され、上記一側壁の一部を切り欠いて形成した凹所を起端として前記ハウジングの内方に傾斜して降下するように形成されるとともに、上記一側壁方向に開口された断面凹状の樋部を形成している。
【０００９】
本発明においては、請求項２の発明のように、上記ハウジングの側壁は、その短辺側の一側壁の中央部分から外方に突出する山型形状とし、その両側部分を降下させた形状にすることもできる。また請求項３の発明のように、上記接続端子台は、上記ハウジングの一部を構成するよう該ハウジングと一体に成型され、上記排水ガイド路は、上記接続端子台の一部に一体に形成されているものとすることができる。
【発明の効果】
【００１０】
請求項１の発明に係る埋込型ドアホン装置によれば、排水ガイド路は、上記上側壁の途中部分に形成され、凹所を起端として下方向に降下するように形成されるとともに、上記上側壁方向に開口された断面凹状の樋部を形成しているので、ドアホン装置を縦向き或いは横向きに設置しても、ドアホン装置と壁面との隙間等から浸入してきた水を排水ガイド路に導くことができる。従って、接続端子台への水の浸入を防ぐことができ、端子部等の腐食、漏電、ショート等を防ぐことができる。
【００１１】
請求項１の発明に係る埋込型ドアホン装置によれば、排水ガイド路は、ハウジングの側壁の上壁側の途中部分の凹所を起端として下方向に降下する樋部となっているので、一層排水性がよく、また接続端子台への水の浸入を確実に防ぐことができる。
【００１２】
請求項２の発明に係る埋込型ドアホン装置によれば、ハウジングの側壁の短辺側の上側壁を、中央部分を高くして、その両側部分を降下させた形状としているので、ドアホン装置を縦向き或いは横向きに設置しても、排水性のよいものとすることができる。よって、ドアホン装置の設置向きにかかわらず、接続端子台への水の浸入を防ぐことができ、端子部等の腐食、漏電、ショート等を防ぐことができる。
請求項３の発明に係る埋込型ドアホン装置によれば、排水ガイド路は、接続端子台に一体に形成されているので、ドアホン装置と壁面との隙間に上側壁に雨水等が浸入してきても、水は凹所から排水ガイド路へと導かれ、排水ガイド路を通じて流れていき、その後、側壁をつたって、下へと流れていくので、接続端子台の内部や端子部へ水が流れ込むことを防止することができる。
【発明を実施するための最良の形態】
【００１３】
以下に本発明の最良の実施の形態について、図面に基づいて説明する。
【実施例１】
【００１４】
図１（ａ）は本発明の埋込型ドアホン装置の背面図、図１（ｂ）は本発明の埋込型ドアホン装置の側面図、図２は図１に示した埋込型ドアホン装置の背面斜視図である。なお、図例では、ドアホン装置の形状は長方形とし、長辺を横向きに設置した状態を示しているが、これに限定されず縦向きに設置することも可能であることは言うまでもない。またここでは説明のため、図例の状態において、横向きの辺を長辺、縦向きの辺を短辺としている。
図中、Ｄはドアホン装置、１はそのハウジング、１１はハウジングの背面部、２は化粧プレート、２ａは呼出釦、３は接続端子台、３ａは端子部、３１は側壁、３１ａは上側壁、３１ｂは排水ガイド路、３１ｃは凹所、４は組立ねじ、Ｗは壁面、Ｗａは壁面開口部を示している。
【００１５】
ドアホン装置Ｄのハウジング１内には、少なくともインターホン親機（不図示）からの音声を出力するスピーカと、ドアホン装置Ｄ側の音を集音するマイクロホンと、上記スピーカ及び上記マイクロホン等を制御する電子部品を実装した回路基板とが収容されている。このハウジング１内に収容される回路基板等は別体のプレート（不図示）に実装され、組立ねじ４により固定取付される。ハウジング１の前面は、ハウジング１内に収容されるスピーカ等を雨風から守る化粧プレート２によって覆われており、該化粧プレート２の前面には、戸内の住人に来訪を知らせる呼出釦２ａが配設されている。ハウジング１の背面には、接続端子台３が突出して一体成型され、インターホン親機との通話線等を接続するための端子部３ａは図１（ａ）、図２に示すように露出した状態になっている。接続端子台３は、図１（ｂ）に示すように、壁面Ｗから露出するハウジング１の前面に対して段差状に構成され、壁面Ｗに形成される凹所に埋め込まれる構造になっている。
【００１６】
ここで壁面Ｗに形成される凹所は、埋め込まれる接続端子台３より僅かに大きく形成されるが、ドアホン装置Ｄを壁面Ｗに設置した際には、ハウジング１の背面部１１と壁面Ｗとの間、接続端子台３と壁面開口部Ｗａとの間に僅かな隙間が生じるため、そこが雨水等が浸入する侵入口になってしまう。
【００１７】
本発明のドアホン装置Ｄは、上記の構成に加えて、ハウジング１の側壁３１の長辺側の上側壁３１ａに、少なくとも一方に降下する排水ガイド路３１ｂを設ける構造としたことを特徴とするものである。
排水ガイド路３１ｂの形状や構造は、限定されるものではないが、側壁３１の上側壁３１ａの途中部分の凹所３１ｃを起端として下方向に降下する樋部を一体的に形成すれば、上述のような隙間から上側壁３１ｂに雨水等が浸入してきても、図２の矢印が示すように、水は凹所３１ｃから排水ガイド路３１ｂへと導かれ、排水ガイド路３１ｂを通じて流れていき、その後、短辺側の側壁３１ｄをつたって、下へと流れていくので、接続端子台３の内部や端子部３ａへ水が流れ込むおそれがない。
【００１８】
また凹所３１ｃの形成位置は、限定されるものではないが、水が溜まりやすい長辺の上側壁３１ａの中央部分或いはその付近に凹所３１ｃを形成し、排水ガイド路３１ｂを設ければ、水が上側壁３１ａの中央部分上で滞留することがないので、接続端子台３内及び端子台３ａへ流れ込むことがなく、効果的に排水することができる。
すなわち、凹所３１ｃを長辺の上側壁３１ａの左右端のいずれかに形成し、排水ガイド路３１ｂを設けても、そこに浸入してきた雨水等は、排水ガイド路３１ｂを経由するまでもなく、ドアホン装置Ｄ外へ排水され、問題とならないからである。
そして図例のように、端子部３ａを避けるように凹所３１ｃを形成し、排水ガイド路３１ｂを設ける構造とすれば、より確実に接続端子台３内及び端子部３ａへの水の浸入を防ぐことができる。
【００１９】
なお、ハウジング１とその背面に形成される接続端子台３とは別体に成型されるものとしてもよいが、一体に成型されるものとすれば、ハウジング１の背面部１１と接続端子台３の間に隙間が生じることがなく、水の浸入を防ぐことができる。
【実施例２】
【００２０】
図３は、本発明の別の実施形態の埋込型ドアホン装置の背面図を示している。
ここに示す埋込型ドアホン装置Ｄは、上記実施例１とは、短辺側の上側壁３１ｄの構成を異にするもので、その他の構成・効果は、上記実施例１と同様であるので、共通部分に同一の符号を付しその説明を割愛する。
【００２１】
本実施例のドアホン装置Ｄは、ハウジング１の側壁３１の長辺側の上側壁３１ａだけに排水機能をもたせるのではなく、短辺側の上側壁３１ｄにも排水機能をもたせたものである。
すなわち、図３に示すように、短辺側の上側壁３１ｄの中央部分を高くして、その両側部分を降下させた形状すれば、縦向きにドアホン装置Ｄを設置した場合でも、水の浸入に対してスムーズに排水することができ、端子部３ａへの水の浸入を防止することができる。
またこのような構造とすれば、図３のようにドアホン装置Ｄを横向きに設置した場合に、排水ガイド路３１ｂをつたってきた水を流れよく排水することができ、効果的である。
【図面の簡単な説明】
【００２２】
【図１】（ａ）は本発明の埋込型ドアホン装置の背面図、（ｂ）は本発明の埋込型ドアホン装置の側面図である。
【図２】本発明の埋込型ドアホン装置の背面斜視図である。
【図３】本発明の別の実施形態の埋込型ドアホン装置の背面図である。
【図４】（ａ）は従来の埋込型ドアホン装置の正面図及び側面図、（ｂ）は従来の埋込型ドアホン装置の背面図である。
【図５】従来の埋込型ドアホン装置を横向きに設置した状態を示す背面斜視図である。
【符号の説明】
【００２３】
Ｄ      ドアホン装置
１      ハウジング
１１    ハウジングの背面部
２      化粧プレート
２ａ    呼出釦
３      接続端子台
３ａ    端子部
３１    側壁
３１ａ  上側壁
３１ｂ  排水ガイド路
３１ｃ  凹所
Ｗ      壁面
Ｗａ    壁面開口部
【図１】
0004577184.tif 000002
【図２】
0004577184.tif 000003
【図３】
0004577184.tif 000004
【図４】
0004577184.tif 000005
【図５】
0004577184.tif 000006